(57)【要約】【課題】ＢＳ／ＣＳ、地上波などのデジタル放送では、受信機のソフト修正のため、デジタル放送信号を利用したダウンロードが行われている。従来の方法では、車など移動体受信機に対しては、安定した受信の保証ができない等ダウンロードが困難であるが、据置型の受信機を利用して移動体受信機へダウンロード可能とすることを目的とする。【解決手段】デジタル放送受信機のメモリカードインターフェイスを利用して、移動体デジタル受信機のダウンロード用の情報を格納したメモリカードのデータを読み込み、当該デジタル放送受信機の固有情報、またはメモリカードに格納されているダウンロード用の情報の複数情報を処理する機能を有し、一方を選択してダウンロードを実行する【選択図】図１
2007110595.tif 000002
【特許請求の範囲】
【請求項１】
受信機のプログラムデータが多重された多重化デジタル信号を受信し、受信機自体のプログラムを書き換えることが可能なデジタル放送受信機であって、受信機全体を制御するための制御部と、前記制御部のプログラムデータや受信機の固有情報等を格納する不揮発性メモリと、前記プログラムデータから該当するデータを前記不揮発性メモリに格納する手段と、他のデジタル放送受信機との間で、データの受け渡しを可能にするメモリカードインターフェイス部を具備し、前記デジタル放送受信機の固有情報、またはメモリカードに格納されているダウンロード用の情報の一方を選択してダウンロードを実行することを特徴とするデジタル放送受信機。
【発明の詳細な説明】
【技術分野】
【０００１】
本発明は、デジタル放送受信機のプログラム、データのダウンロードに関するものである。
【背景技術】
【０００２】
従来のデジタル放送では、受信機を制御するソフトウェアのバグ修正や機能アップのため、デジタル放送信号で、製造メーカＩＤ、デジタル放送受信機の機種ＩＤ、プログラムＩＤなどを指定してダウンロードデータを伝送している（特許文献１参照）。図８は従来のデジタル放送受信機におけるダウンロードの動作を示すものである。デジタル放送受信機では、受信したデジタル放送信号の、前記製造メーカＩＤ、機種ＩＤなどでダウンロード可否を判断し実行するため、対象となるメーカの該当機種すべての受信機が一斉にダウンロードを実行することができる。
【０００３】
しかし、移動体デジタル受信機など、安定したデジタル放送信号の受信ができない場合、ダウンロードの実行を保証することができないため、放送の受信が困難な場合に通信回線を利用する方法もあるが、通信機能がない受信機では対応できない。（特許文献２参照）
【特許文献１】特開２００２−２８１４０２号公報
【特許文献２】特開２００４−２６０５０５号公報
【発明の開示】
【発明が解決しようとする課題】
【０００４】
解決しようとする問題点は、移動体デジタル受信機では、ダウンロード実行中に安定した受信状態を保証することが困難であり、デジタル放送信号を利用したプログラムのダウンロードが簡単にできない点である。
【課題を解決するための手段】
【０００５】
本発明は、デジタル放送受信機のメモリカードインターフェイスを利用して、移動体デジタル受信機のダウンロード用の情報を格納したメモリカードのデータを読み込み、当該デジタル放送受信機の固有情報、またはメモリカードに格納されているダウンロード用の情報の複数情報を処理する機能を有し、一方を選択してダウンロードを実行することを最も主要な特徴とする。
【発明の効果】
【０００６】
本発明のデジタル放送受信機は、移動体デジタル受信機だけでは困難であった受信機プログラムのダウンロードを、安定して信号受信が可能なデジタル放送受信機を利用することによって、ユーザーでも簡単に実行できる利点がある。
【発明を実施するための最良の形態】
【０００７】
移動体デジタル受信機では困難であったプログラムのダウンロードを、安定して信号受信が可能なダウンロード用の複数情報を処理する機能を有したデジタル放送受信機を利用して、デジタル放送信号や双方向回線により、ユーザーによる簡単なダウンロード手段を実現した。
【０００８】
（実施の形態１）
図２は、本発明の実施形態１のブロック図であって、１００は据置き型デジタル放送受信機、１１０は移動体デジタル放送受信機である。１０１、１１１は受信チャンネルを選択するための選局部、１０２、１１２は受信機全体を制御するシステムコントローラ、１０３、１１３は受信機のプログラムや受信機の固有情報を格納する不揮発性メモリ、１０６はメモリカード、１０４、１１４はメモリカードへの書込み、読み込みを行うためのメモリカードインターフェイス部である。
【０００９】
図３は本発明の実施形態１におけるダウンロード用情報選択のフローチャート図である。デジタル放送受信機１００に、メモリカード１０６を挿入しデータを読み込む（２０１）、メーカーＩＤ、機種ＩＤ等ダウンロードに必要な情報があるか確認し（２０２）。ダウンロードに必要な情報がなければ従来の受信機内部メモリへのダウンロードを実行する（２０５）。メモリカードから読み込んだデータにダウンロードに必要な情報があれば、メモリカード１０６から、情報を読み込み（２０３）、自動的に、メモリカードへのダウンロードを実行する（２０４）。
【００１０】
図４は本発明の実施の形態１におけるメモリカードへのダウンロード処理のフローチャート図である。ダウンロードの送出データの有無を確認し（３０１）、ダウンロードの送出データがあった場合、送出データのメーカーＩＤ、機種ＩＤなどをチェックする（３０２）、メモリーカードから読み込んだ固有のＩＤと一致する場合には（３０３）、該当するダウンロードデータを受信し（３０４）、メモリカードに格納する（３０５）。
【００１１】
図５は本発明の実施形態１におけるメモリカードからのダウンロード処理のフローチャート図である。ダウンロードデータを格納したメモリカード１０６を、移動体デジタル受信機１１０のメモリカードインターフェイス１１４に挿入し、メモリカードからデータを読み込む（４００）、メモリカードから読み込んだメーカーＩＤ、機種ＩＤをチェックし（４０１）、移動体デジタル受信機１１０のＩＤと一致するか判断する（４０２）。ＩＤが一致した場合には、メモリーカードからダウンロードデータを読み込み（４０３）、ダウンロードデータを移動体デジタル受信機１１０内部の不揮発性メモリ１１３に格納し、プログラムを更新し（４０４）、ダウンロードを完了する。
【００１２】
（実施の形態２）
図２は、本発明の実施形態２のブロック図であって、１００は据置き型デジタル放送受信機、１１０は移動体デジタル放送受信機である。１０１、１１１は受信チャンネルを選択するための選局部、１０２、１１２は受信機全体を制御するシステムコントローラ、１０３、１１３は受信機のプログラムや受信機の固有情報を格納する不揮発性メモリ、１０６はメモリカード、１０４、１１４はメモリカードへの書込み、読み込みを行うためのメモリカードインターフェイス部である。
【００１３】
図６は本発明の実施形態２におけるダウンロード用情報選択のフローチャート図である。デジタル放送受信機１００に、メモリカード１０６を挿入しデータを読み込む（５０１）、メーカーＩＤ、機種ＩＤ等ダウンロードに必要な情報があるか確認し（５０２）。ダウンロードに必要な情報がなければ従来の受信機内部メモリへのダウンロードを実行する（５０６）。メモリカードから読み込んだデータにダウンロードに必要な情報があれば、メモリカード１０６から、情報を読み込み、ダウンロードにデジタル受信機内部の固有ＩＤを使用するか、メモリカードから読み込んだ情報を使用するかをユーザーにより選択する（５０４）。ユーザーが、メモリカード１０６の情報を選択した場合、メモリカードへのダウンロードを実行する（５０５）。
【００１４】
図４は本発明の実施の形態２におけるメモリカードへのダウンロード処理のフローチャート図である。ダウンロードの送出データの有無を確認し（３０１）、ダウンロードの送出データがあった場合、送出データのメーカーＩＤ、機種ＩＤなどをチェックする（３０２）、メモリーカードから読み込んだ固有のＩＤと一致する場合には（３０３）、該当するダウンロードデータを受信し（３０４）、メモリカードに格納する（３０５）。
【００１５】
図５は本発明の実施形態２におけるメモリカードからのダウンロード処理のフローチャート図である。ダウンロードデータを格納したメモリカード１０６を、移動体デジタル受信機１１０のメモリカードインターフェイス１１４に挿入し、メモリカードからデータを読み込む（４００）、メモリカードから読み込んだメーカーＩＤ、機種ＩＤをチェックし（４０１）、移動体デジタル受信機１１０のＩＤと一致するか判断する（４０２）。ＩＤが一致した場合には、メモリーカードからダウンロードデータを読み込み（４０３）、ダウンロードデータを移動体デジタル受信機１１０内部の不揮発性メモリ１１３に格納し、プログラムを更新し（４０４）、ダウンロードを完了する。
【００１６】
（実施の形態３）
図７は、本発明の実施形態３のブロック図であって、据置き型デジタル受信機１００によりダウンロードデータ−を取得する手段として、双方向回線インターフェイス部１０５、双方向通信網１０７を使用し、図３のダウンロード用情報選択の処理、図４のメモリカードへのダウンロード処理、図５のメモリカードからのダウンロード処理を行うことにより移動体デジタル受信機１１０のダウンロードを完了する。
【００１７】
（実施の形態４）
図７は、本発明の実施形態４のブロック図であって、据置き型デジタル受信機１００によりダウンロードデータ−を取得する手段として、双方向回線インターフェイス部１０５、双方向通信網１０７を使用し、図６のダウンロード用情報選択の処理、図４のメモリカードへのダウンロード処理、図５のメモリカードからのダウンロード処理を行うことにより移動体デジタル受信機１１０のダウンロードを完了する。
【産業上の利用可能性】
【００１８】
本発明のデジタル放送受信機は、安定した受信が困難な移動体デジタル受信手段のダウンロードにおいて、メモリカードを利用して、据え置き型デジタル受信手段からダウンロードデータを取得することによって、ユーザーが簡単にデジタル受信手段のダウンロードをできる利点を有し、市場で使用されている移動体デジタル受信手段の機能アップに対応する技術として有用である。
【図面の簡単な説明】
【００１９】
【図１】本発明の実施形態におけるデジタル放送受信機のブロック図
【図２】本発明の実施形態１、２におけるダウンロードシステム全体ブロック図
【図３】本発明の実施形態１、３におけるダウンロード用情報選択のフローチャート
【図４】本発明の実施形態におけるメモリカードへのダウンロード処理のフローチャート
【図５】本発明の実施形態におけるデジタル放送受信機内部メモリへのダウンロード処理のフローチャート
【図６】本発明の実施形態２、４におけるダウンロード用情報選択のフローチャート
【図７】本発明の実施形態３，４におけるダウンロードシステム全体ブロック図
【図８】従来のダウンロード処理のフローチャート
【符号の説明】
【００２０】
１００    デジタル放送受信機
１０１    選局部
１０２    システムコントローラ
１０３    不揮発性メモリ
１０４    メモリカードインターフェイス部
１０５    双方向回線インターフェイス部
１０６    メモリカード
１０７    双方向通信網
１１０    移動体デジタル放送受信機
１１１    選局部
１１２    システムコントローラ
１１３    不揮発性メモリ
１１４    メモリカードインターフェイス部
【図１】
2007110595.tif 000003
【図２】
2007110595.tif 000004
【図３】
2007110595.tif 000005
【図４】
2007110595.tif 000006
【図５】
2007110595.tif 000007
【図６】
2007110595.tif 000008
【図７】
2007110595.tif 000009
【図８】
2007110595.tif 000010